(57)【要約】【課題】体液の滲み出しを防止することのできる遺骸収容袋およびこの遺骸収容袋と棺桶とを備えた棺桶セットを提供する。【解決手段】遺骸収容袋３００は、開口部３９０が形成され、可燃性を有する袋本体３１０と、袋本体３１０の内面に設けられた吸水シート３４０と、開口部３９０を閉じる閉鎖手段とを有している。また、閉鎖手段は、袋本体３１０の開口部３９０の周囲に設けられた締め紐３２０、３３０を有し、締め紐３２０、３３０を引っ張り、開口部３９０を引き絞ることにより塞ぐように構成されている。【選択図】図４
2014073281.tif 000002
【特許請求の範囲】
【請求項１】
開口部が形成された可燃性の袋本体と、
袋本体の内面に設けられた吸水部と、
開口部を閉じる閉鎖手段と、を有することを特徴とする遺骸収容袋。
【請求項２】
遺骸を、前記開口部から頭部を露出させた状態にて前記袋本体に収容する請求項１に記載の遺骸収容袋。
【請求項３】
前記袋本体は、前記開口部から外側へ延長された延長部を有している請求項２に記載の遺骸収容袋。
【請求項４】
前記延出部は、前記袋本体に遺骸を収容した状態にて、前記遺骸の頭部を載置する載置部と、前記載置部と接続され、折り畳むことによって前記載置部に載置された前記頭部を覆う覆い部とを有している請求項３に記載の遺骸収容袋。
【請求項５】
前記閉鎖手段は、前記袋本体の開口部の周囲に設けられた締め紐を有し、
前記締め紐を引っ張り、前記開口部を引き絞ることにより塞ぐように構成されている請求項１ないし４のいずれか一項に記載の遺骸収容袋。
【請求項６】
前記閉鎖手段は、ファスナーを有している請求項１ないし４のいずれか一項に記載の遺骸収容袋。
【請求項７】
前記袋本体は、内部を視認可能な窓部を有している請求項１ないし６のいずれか一項に記載の遺骸収容袋。
【請求項８】
請求項１ないし７のいずれか一項に記載の遺骸収容袋と、
前記遺骸収容袋を収容する可燃性の棺桶と、を有することを特徴とする棺桶セット。
【請求項９】
前記棺桶は、折り畳み可能である請求項８に記載の棺桶セット。
【請求項１０】
前記棺桶は、紙材で形成されている請求項８または９に記載の棺桶セット。
【発明の詳細な説明】
【技術分野】
【０００１】
本発明は、遺骸収納袋および棺桶セットに関するものである。
【背景技術】
【０００２】
従来から、犬、猫等のペット（愛玩動物）用の棺桶として、特許文献１に記載の棺桶が知られている。特許文献１に記載の棺桶は、箱状の本体と、本体の開口を塞ぐ蓋とを有しており、これら本体と蓋は、それぞれ、紙や木材と言った可燃性の材料で形成されている。しかしながら、このような棺桶内にペットの遺骸を直接収納すると、遺骸から発生する汚物等に含まれる水分（体液）が棺桶に滲みてしまい、棺桶の強度や見栄えが低下したり、異臭の発生の原因となったりする。
【先行技術文献】
【特許文献】
【０００３】
【特許文献１】特開２００２−３５０６０号公報
【発明の概要】
【発明が解決しようとする課題】
【０００４】
本発明の目的は、体液の滲み出しを防止することのできる遺骸収容袋およびこの遺骸収容袋と棺桶とを備えた棺桶セットを提供することにある。
【課題を解決するための手段】
【０００５】
このような目的は、下記の本発明により達成される。
（１）  開口部が形成された可燃性の袋本体と、
袋本体の内面に設けられた吸水部と、
開口部を閉じる閉鎖手段と、を有することを特徴とする遺骸収容袋。
【０００６】
（２）  遺骸を、前記開口部から頭部を露出させた状態にて前記袋本体に収容する上記（１）に記載の遺骸収容袋。
【０００７】
（３）  前記袋本体は、前記開口部から外側へ延長された延長部を有している上記（２）に記載の遺骸収容袋。
【０００８】
（４）  前記延出部は、前記袋本体に遺骸を収容した状態にて、前記遺骸の頭部を載置する載置部と、前記載置部と接続され、折り畳むことによって前記載置部に載置された前記頭部を覆う覆い部とを有している上記（３）に記載の遺骸収容袋。
【０００９】
（５）  前記閉鎖手段は、前記袋本体の開口部の周囲に設けられた締め紐を有し、
前記締め紐を引っ張り、前記開口部を引き絞ることにより塞ぐように構成されている上記（１）ないし（４）のいずれか一項に記載の遺骸収容袋。
【００１０】
（６）  前記閉鎖手段は、ファスナーを有している上記（１）ないし（４）のいずれか一項に記載の遺骸収容袋。
【００１１】
（７）  前記袋本体は、内部を視認可能な窓部を有している上記（１）ないし（６）のいずれか一項に記載の遺骸収容袋。
【００１２】
（８）  上記（１）ないし（７）のいずれか一項に記載の遺骸収容袋と、
前記遺骸収容袋を収容する可燃性の棺桶と、を有することを特徴とする棺桶セット。
（９）  前記棺桶は、折り畳み可能である上記（８）に記載の棺桶セット。
【００１３】
（１０）  前記棺桶は、紙材で形成されている上記（８）または（９）に記載の棺桶セット。
【発明の効果】
【００１４】
本発明によれば、例えば犬、ペット（愛玩動物）等の遺骸を袋本体に収容することによって、遺骸から汚物等の体液が漏れ出しても、その体液を袋本体の内側に設けた吸水部によって吸収することができる。そのため、体液が袋本体の外部への滲み出しを防止することができる。したがって、袋本体の外側を清潔な状態に保つことができるとともに、異臭（悪臭）の発生も防止することができる。また、可燃性であるため、遺骸とともに焼却炉にて焼却することができ、優れた利便性を発揮することができる。
【００１５】
また、遺骸を収容した状態にて遺骸の頭部（特に顔面）が外部に露出するような構成の袋本体や、袋本体に内部が視認可能な窓部を設けることにより袋本体に収容されている遺骸の頭部を外部から視認することができる構成の袋本体とすることにより、火葬前に、飼い主と遺骸との最後のお別れを感傷的かつ簡単に行うことができる。
【図面の簡単な説明】
【００１６】
【図１】本発明の第１実施形態にかかる棺桶セットを示す平面図である。
【図２】図１に示す棺桶が有する本体の展開図である。
【図３】図１に示す棺桶の断面図である。
【図４】図１に示す遺骸収容袋の平面図である。
【図５】図４に示す遺骸収容袋の断面図である。
【図６】棺桶セットの使用方法を説明する断面図である。
【図７】本発明の第２実施形態にかかる棺桶セットが有する遺骸収容袋の平面図である。
【図８】図７に示す遺骸収容袋の使用方法を示す断面図である。
【図９】本発明の第３実施形態にかかる棺桶セットが有する遺骸収容袋の平面図である。
【図１０】図９に示す遺骸収容袋の使用方法を示す断面図である。
【図１１】本発明の第４実施形態にかかる棺桶セットが有する遺骸収容袋の斜視図である。
【図１２】図１１に示す遺骸収容袋の使用方法を示す断面図である。
【発明を実施するための形態】
【００１７】
以下、本発明の遺骸収容袋および棺桶セットの好適な実施形態について、添付図面を参照しつつ詳細に説明する。
【００１８】
図１は、本発明の第１実施形態にかかる棺桶セットを示す平面図、図２は、図１に示す棺桶が有する本体の展開図、図３は、図１に示す棺桶の断面図、図４は、図１に示す遺骸収容袋の平面図、図５は、図４に示す遺骸収容袋の断面図、図６は、棺桶セットの使用方法を説明する断面図である。
【００１９】
１．棺桶セット
図１に示すように、棺桶セット１００は、棺桶２００と、遺骸収容袋３００とを有している。このような棺桶セット１００は、ペット等の遺骸を収容した遺骸収容袋３００を棺桶２００に収容し、ペットとの最後のお別れ、遺骸の運搬や火葬（焼却）を円滑に行うためのものである。なお、棺桶２００および遺骸収容袋３００の大きさは、対象とする遺骸の大きさ、形状等によって適宜設定される。
【００２０】
これら棺桶２００および遺骸収容袋３００は、可燃性を有している。すなわち、可燃性の素材で構成されている。そのため、棺桶２００を遺骸とともに焼却することができ、利便性に優れた棺桶セット１００となる。なお、本明細書中の「可燃性の素材」とは、焼却時の有害物質（ダイオキシン等）の発生の有無等から、焼却炉にて焼却を許可されている素材という意味である。したがって、可燃性の素材に含まれる素材は、焼却炉の性能等によって若干異なる場合もある。
【００２１】
１−１．棺桶
棺桶２００は、箱状の本体２１０と、本体２１０の開口を塞ぐ蓋２２０とを有している。
【００２２】
１−１−１．本体
本体２１０は、ほぼ矩形（本実施形態では長方形）の底部２１１と、底部２１１の各辺から立設する４つの側壁２１２〜２１５とを有している。また、本体２１０は、強度を高めるためや見栄えを良くするために、底部２１１および各側壁２１２〜２１５をそれぞれ二重構造としている。
【００２３】
本体２１０は、折り畳み可能な組み立て式となっている。図２は、本体２１０の分解図（展開図）である。同図に示すように、本体２１０は、複数の板状部が折り込み容易に連結してなる組立体５００と組み立てられた状態の組立体５００に配置する板状の底部補強板７００とを有している。
【００２４】
組立体５００および底部補強板７００は、それぞれ、可燃性の素材である厚紙や段ボール紙といった紙材で形成されている。強度を高める観点などからすると、組立体５００および底部補強板７００は、厚紙よりも段ボール紙で形成するのが好ましい。なお、可燃性の素材であれば、組立体５００および底部補強板７００の構成材料としては、紙材に限定されない。
【００２５】
組立体５００は、枠状に連結された４つの側壁形成部（板状部）５１１、５１２、５１３、５１４と、側壁形成部５１１、５１２、５１３、５１４の上端から延出する側壁補強部（板状部）５２１、５２２、５２３、５３４と、側壁形成部５１１、５１２、５１３、５１４の下端か延出する４つの底部形成部（板状部）５３１、５３２、５３３、５３４とを有している。これら複数の板状部の各境界部には折り込み易くするための折り目や段差が形成されている。また、側壁形成部５１１は、糊代５４０を介して側壁形成部５１４の右側端部に接着されている。したがって、側壁形成部５１１〜５１４は、枠状に連なっている。
【００２６】
このような組立体５００は、例えば、側壁形成部５１１、５１２の境界部と、側壁形成部５１３、５１４の境界部とを折り畳むことにより、平面状（シート状）に折り畳むことができる。
【００２７】
反対に、組立体５００は、次のようにして組み立てることができる。まず、側壁形成部５１１と側壁形成部５１２、側壁形成部５１２と側壁形成部５１３、側壁形成部５１３と側壁形成部５１４、側壁形成部５１４と側壁形成部５１１がそれぞれ略９０°で交わるように、側壁形成部５１１〜５１４を枠状に広げる。
【００２８】
次に、底部形成部５３１を内側へ折り込み、さらに、底部形成部５３２、５３４を先に折り込んでおいた底部形成部５３１と重なるように内側へ折り込む。次に、底部形成部５３３を、先に折り込んだ底部形成部５３２、５３４と重なるようにして内側へ折り込むとともに、その先端に形成されている突起状の挿入部５３３ａを底部形成部５３１の内側へ挿入する。これにより、底部形成部５３１〜５３４が互いに固定される。
【００２９】
次に、側壁補強部５２１〜５２４をそれぞれ内側へ折り込み、側壁形成部５１１〜５１２と重ね合わせる。これにより、組立体５００の組み立てが完了する。最後に、底部補強板７００を底部形成部５３１〜５３４と重なるように組立体５００の内側に配置することにより、図３に示すように、棺桶２００の組み立てが完了する。
【００３０】
このような構成では、側壁形成部５１１と側壁補強部５２１とが重なり合うことによって二重構造の側壁２１２が構成されている。同様に、側壁形成部５１２と側壁補強部５２２とが重なり合うことによって二重構造の側壁２１３が構成され、側壁形成部５１３と側壁補強部５２３とが重なり合うことによって二重構造の側壁２１４が構成され、側壁形成部５１４と側壁補強部５２４とが重なり合うことによって二重構造の側壁２１５が構成される。また、底部形成部５３１〜５３４と底部補強板７００とが重なり合うことによって、二重構造の底部２１１が構成される。したがって、優れた強度を有する本体２１０が得られる。
【００３１】
また、側壁補強部５２１〜５２４を側壁形成部５１１〜５１４に対して折り込むことにより、本体２１０の上面（開口端面）に切断面が位置することを防止できる。また、底部補強板７００によって、底部形成部５３１〜５３４を覆い隠しているため、底部形成部５３１〜５３４の重なり合った様子を本体２１０の内側から見えなくすることができる。したがって、本体２１０の見栄えを良くすることができる。
【００３２】
１−１−２．蓋
図３に示すように、蓋２２０の下面には、本体２１０の側壁２１２〜２１５の上端部と係合する段差２２１が設けられている。これにより、蓋２２０を本体２１０に被せた状態にて、蓋２２０が本体２１０に対して固定される。
【００３３】
このような蓋２２０は、大きさの異なる複数の板部材２２２ａ、２２２ｂ、２２２ｃを積層してなる積層体２２２を包装材２２３で被覆した基部２２４と、基部２２４の裏面に設けられた板状の段差形成部２２５とを有している。
【００３４】
板部材２２２ａ〜２２２ｃは、それぞれ、本体２１０の開口形状とほぼ相似形である平面視形状をなしている。板部材２２２ａは、本体２１０の開口よりも若干大きく形成されており、板部材２２２ａ上に設けられた板部材２２２ｂは、板部材２２２ａよりも小さく形成されており、板部材２２２ｂ上に設けられた板部材２２２ｃは、板部材２２２ｂよりも小さく形成されている。このような積層体２２２は、包装材２２３によって包装されており、その段差が覆い隠されている。そのため、基部２２４の上面は、盛り上がりかつ外周部が緩やかに湾曲したものとなる。したがって、ボリューム感を有し、高級感が漂う蓋２２０となる。
【００３５】
段差形成部２２５は、本体２１０の開口の形状とほぼ相似形をなし、かつ開口よりも若干小さい平面視形状を有している。このような段差形成部２２５は、互いの中心が一致するように、例えば接着剤等を介して基部２２４に接合されている。これにより、前述した段差２２１が形成される。
【００３６】
板部材２２２ａ〜２２２ｃおよび段差形成部２２５は、それぞれ、例えば、厚紙や段ボール紙といった紙材（可燃性の素材）で形成されている。なお、基部２２４および段差形成部２２５を形成する素材としては、可燃性であれば紙材に限定されず、例えば、木材を用いることもできる。
【００３７】
また、包装材２２３は、例えば、比較的薄い紙材で形成されている。また、包装材２２３は、無地であってもよいし、柄が描かれていてもよい。また、包装材２２３の色は、特に限定されず、白、黒等の無彩色であってもよいし、赤、青、緑等の有彩色であってもよいし、金、銀などの金属色であってもよい。
【００３８】
以上、棺桶２００（本体２１０および蓋２２０）について詳細に説明したが、棺桶２００の構成は、上述したものに限定されない。例えば、本体２１０は、組み立て式でなくてもよい。また、本体２１０の形状は、矩形に限定されず、円形や、楕円形、六角形などであってもよい。
【００３９】
１−２．遺骸収容袋
遺骸収容袋３００は、遺骸を収容するための袋である。図４および図５に示すように、このような遺骸収容袋３００は、開口部３９０を有する袋本体３１０と、袋本体３１０の開口を閉じる一対の締め紐３２０、３３０と、袋本体３１０の内側に設けられた吸水シート（吸水部）３４０とを有している。
【００４０】
本実施形態の袋本体３１０は、共に略矩形をなす一対のシート材３１１、３１２から形成されている。具体的には、袋本体３１０は、シート材３１１、３１２をその底辺と両脇の辺とで縫い合わせることにより袋状に形成されている。
【００４１】
開口部３９０よりも外側ではシート材３１１、３１２が縫い合わされておらず、当該部分によって襟部３１３、３１４が形成されている。襟部３１３、３１４は、シート材３１１、３１２の端部を内側へ折り返して重ね合わせた状態で外周部を縫い合わせることにより形成されている。これにより、シート材３１１、３１２の裏地が隠れるため、袋本体３１０の見栄えが良くなる。
【００４２】
このようなシート材３１１、３１２は、可燃性の素材で形成されていれば、その構成は特に限定されない。本実施形態のシート材３１１は、綿などの天然繊維からなる織布３１１ａと、織布３１１ａの裏面に設けられたシート状のクッション材３１１ｂとの積層体で構成されている。クッション材３１１ｂは、衝撃吸収性を有していれば、特に限定されず、例えば、スポンジのような発泡体（発泡ポリウレタン、発泡ポリエチレン、発泡ポリプロピレン等）や、繊維性多孔質材（織編物、不織布、紙類、短繊維の集合体等）で構成することができる。クッション材３１１ｂは、必要に応じて設ければよく、省略してもよい。
【００４３】
なお、織布３１１ａは、天然繊維に限定されず、可燃性の素材である限りポリエステル繊維などの合成繊維を用いてもよい。また、織布３１１ａに換えて不織布を用いてもよい。シート材３１２の構成についてもこれと同様である。
【００４４】
シート材３１１、３１２は、それぞれ、防水性、具体的には、裏面側から表面側への水分の滲み出しを防止する機能を有しているのが好ましい。これにより、遺骸収容袋３００に収容した遺骸から発生した体液が、万が一、吸水シート３４０によって吸水されずにシート材３１１、３１２に接触したり、一旦吸水シート３４０に吸収された体液が吸水シート３４０から滲み出すことによりシート材３１１、３１２に接触したりしても、体液がシート材３１１、３１２に滲み込まず、遺骸収容袋３００の外観を綺麗に維持することができる。なお、防水性は、防水性のある生地を用いてシート材３１１、３１２を形成することによって付与することができるし、また、シート材３１１、３１２に防水加工を施すことにより付与することもできる。
【００４５】
このような袋本体３１０は、無地であってもよいし、柄が描かれていてもよい。また、袋本体３１０の色は、特に限定されず、白、黒等の無彩色であってもよいし、赤、青、緑等の有彩色であってもよいし、金、銀などの金属色であってもよい。
【００４６】
襟部３１３、３１４の開口部３９０側の端部には、その両脇の辺が縫い合わされていない部分があり、これにより、襟部３１３、３１４に締め紐３２０、３３０を通すための紐通し孔３１５、３１６が形成されている。締め紐３２０、３３０は、リング状をなしており、それぞれ、紐通し孔３１５、３１６に挿通されている。そのため、締め紐３２０、３３０を互いに反対側へ引っ張ることにより、開口部３９０が引き絞れられて閉鎖する。このことから、締め紐３２０、３３０が開口部３９０を閉鎖する閉鎖手段を構成していると言える。なお、本実施形態では、締め紐３２０、３３０には、それぞれ、房３２１、３３１が設けられている。これにより、遺骸を弔うのに適した遺骸収容袋３００とすることができる。
【００４７】
締め紐３２０、３３０および房３２１、３３１は、可燃性の素材で形成されていれば特に限定されず、天然繊維や合成繊維を用いて形成することができる。
【００４８】
吸水シート３４０は、袋本体３１０の内面の全域に設けられている。これにより、遺骸収容袋３００に収容された遺骸から漏れ出る体液を吸水シート３４０によって吸収することができる。そのため、体液の遺骸収容袋３００外部への漏れ出しを防止することができる。吸水シート３４０としては、液体を吸収する機能を有していれば、特に限定されないが、例えば、高分子吸水剤を、紙、不織布、布等の透水性基材で挟持したシート材を用いることができる。
【００４９】
このような吸水シート３４０は、さらに抗菌・消臭効果を有しているのが好ましい。これにより、悪臭の発生を抑制することができる。例えば、前述した高分子吸水剤を挟持するシート材に抗菌・消臭用の吸着剤を含浸させることにより、このような効果を発揮する吸水シート３４０が得られる。
【００５０】
２．棺桶セットの使用方法
次に、棺桶セット１００の使用方法の一例を説明する。
【００５１】
まず、遺骸収容袋３００を用意し、遺骸４００を遺骸収容袋３００に収容する。このとき、遺骸４００の胴体部のみを遺骸収容袋３００に収容し、頭部４１０を開口部３９０から外部に露出させる。次に、締め紐３２０、３３０を引き絞り、遺骸収容袋３００の開口部３９０を閉鎖する。次に、遺骸４００を収容した遺骸収容袋３００を予め組み立てておいた棺桶２００の本体２１０に収容する。最後に、図６に示すように、本体２１０に蓋２２０を装着する。
【００５２】
このように、遺骸４００の頭部４１０（顔面）を遺骸収容袋３００の外部から視認できるようにすることにより、棺桶２００の蓋２２０をずらすだけで、頭部４１０を確認することができる。そのため、最後のお別れを感傷的に行うことができる。特に、棺桶２００では、蓋２２０が、本体２１０に係合する段差２２１を有し、本体２１０に対してスライドさせることができるように構成されているため、例えば、頭部４１０を確認することができる分だけ蓋２２０をスライドさせることにより、簡単にお別れをすることができる。
【００５３】
＜第２実施形態＞
次に、本発明の棺桶セットの第２実施形態を説明する。
【００５４】
図７は、本発明の第２実施形態にかかる棺桶セットが有する遺骸収容袋の平面図、図８は、図７に示す遺骸収容袋の使用方法を示す断面図である。
【００５５】
以下、第２実施形態の棺桶セットについて、前述した実施形態との相違点を中心に説明し、同様の事項については、その説明を省略する。
【００５６】
本発明の第２実施形態にかかる棺桶セットは、遺骸収容袋の構成が異なる以外、具体的には遺骸収容袋に延長部が設けられていること以外は、第１実施形態の棺桶セットと同様である。なお、前述した第１実施形態と同様の構成には、同一符号を付してある。
【００５７】
図７に示す遺骸収容袋３００Ａは、襟部３１３から外側へ延長する延長部３６０Ａを有している。延長部３６０Ａは、遺骸を遺骸収容袋３００Ａに収容した状態にて遺骸の頭部を載置する載置部３６１Ａと、載置部３６１Ａの片側に接続され、折り畳むことによって載置部３６１Ａに載置された頭部を覆い隠す覆い部３６２Ａとを有している。
【００５８】
また、遺骸収容袋３００Ａは、折り込んだ覆い部３６２Ａの先端部を載置部３６１Ａに固定する面ファスナー３７０Ａと、折り込んだ載置部３６１Ａの先端部をシート材３１２に固定する面ファスナー３８０Ａとを有している。面ファスナー３７０Ａは、フック片とループ片からなり、その一方が載置部３６１Ａに、他方が覆い部３６２Ａに設けられている。同様に、面ファスナー３８０Ａは、フック片とループ片からなり、その一方が載置部３６１Ａに、他方がシート材３１２（襟部３１４）に設けられている。なお、可燃性の素材で構成されていれば、面ファスナー３７０Ａ、３８０Ａに換えて、点ファスナー（スナップボタン）や線ファスナーを用いたものや、ボタンや鍵ホックを用いやものや、両面テープや接着剤を用いてもよい。
【００５９】
このような遺骸収容袋３００Ａは、例えば、次のようにして使用する。まず、遺骸４００を遺骸収容袋３００Ａに収容する。この際、遺骸４００の頭部４１０は、開口部３９０から露出しており載置部３６１Ａに載置される。次に、遺骸を収容した遺骸収容袋３００Ａを棺桶２００の本体２１０内に収容する。この際、覆い部３６２Ａを載置部３６１Ａの裏側へ折り込むとともに、載置部３６１Ａの端部を覆い部３６２Ａとともに裏側へ折り込んだ状態とする。これにより、図８に示すように、延長部３６０Ａが複数段に折り込まれた状態となって厚みが増し、枕のような機能を発揮するため、遺骸４００の頭部４１０を自然な姿勢に保つことができる。
【００６０】
そして、遺骸４００とのお別れが済み、蓋２２０を閉める際には、まず、折り込んだ載置部３６１Ａおよび覆い部３６２Ａを引き出し、覆い部３６２Ａを載置部３６１Ａの表側へ折り込み、覆い部３６２Ａによって頭部４１０を覆い隠す。この際、面ファスナー３７０Ａによって覆い部３６２Ａが載置部３６１Ａに固定される。これにより、覆い部３６２Ａの捲れ等を防止することができる。次に、載置部３６１Ａの端部を覆い部３６２Ａと共に表側へ折り返す。この際、面ファスナー３８０Ａによって載置部３６１Ａがシート材３１２に固定される。これにより、遺骸収容袋３００Ａの開口部３９０が塞がれ、遺骸４００の全体が遺骸収容袋３００Ａに収容される。そして、最後に蓋２２０を閉める。
【００６１】
このような遺骸収容袋３００Ａでは、延長部３６０Ａと、面ファスナー３７０Ａ、３８０Ａとによっても開口部３９０を閉鎖することができる。すなわち、延長部３６０Ａと、面ファスナー３７０Ａ、３８０Ａとによっても開口部３９０を閉鎖する閉鎖手段を構成しているとも言える。したがって、遺骸収容袋３００Ａでは、締め紐３２０、３３０を省略してもよい。
【００６２】
このような第２実施形態によっても、前述した第１実施形態と同様の効果を発揮することができる。
【００６３】
＜第３実施形態＞
次に、本発明の棺桶セットの第３実施形態を説明する。
【００６４】
図９は、本発明の第３実施形態にかかる棺桶セットが有する遺骸収容袋の平面図、図１０は、図９に示す遺骸収容袋の使用方法を示す断面図である。
【００６５】
以下、第３実施形態の棺桶セットについて、前述した実施形態との相違点を中心に説明し、同様の事項については、その説明を省略する。
【００６６】
本発明の第３実施形態にかかる棺桶セットは、遺骸収容袋の構成が異なる以外、具体的には遺骸収容袋に延長部が設けられていること以外は、第１実施形態の棺桶セットと同様である。なお、前述した第１実施形態と同様の構成には、同一符号を付してある。
【００６７】
図９に示す遺骸収容袋３００Ｂは、襟部３１４から外側へ延長する延長部３６０Ｂを有している。延長部３６０Ｂは、遺骸を遺骸収容袋３００Ｂに収容した状態にて遺骸の頭部を載置する載置部３６１Ｂを有している。すなわち、遺骸収容袋３００Ｂは、枕として機能する載置部３６１Ｂを有している。このような遺骸収容袋３００Ｂでは、図１０に示すように、遺骸４００の頭部４１０を載置部３６１Ａに載置する。これにより、遺骸４００の頭部４１０を自然な姿勢に保つことができる。載置部３６１Ａの厚み等は、適宜設定することができる。
【００６８】
このような第３実施形態によっても、前述した第１実施形態と同様の効果を発揮することができる。
【００６９】
＜第４実施形態＞
次に、本発明の棺桶セットの第４実施形態を説明する。
【００７０】
図１１は、本発明の第４実施形態にかかる棺桶セットが有する遺骸収容袋の斜視図、図１２は、図１１に示す遺骸収容袋の使用方法を示す断面図である。
【００７１】
以下、第４実施形態の棺桶セットについて、前述した実施形態との相違点を中心に説明し、同様の事項については、その説明を省略する。
【００７２】
本発明の第４実施形態にかかる棺桶セットは、遺骸収容袋の構成が異なる以外は、第１実施形態の棺桶セットと同様である。なお、前述した第１実施形態と同様の構成には、同一符号を付してある。
【００７３】
図１１に示す遺骸収容袋６００は、開口６９０を有する袋本体６１０と、袋本体６１０と連結し開口６９０を覆う蓋６２０と、蓋６２０を閉じるためのファスナー（閉鎖手段）６４０とを有している。また、遺骸収容袋６００は、袋本体６１０の内面全域（後述する窓部６１１が形成されている領域を除く。）および蓋６２０の内面（裏面）全域に設けられた吸水シート６５０を有している。吸水シート６５０の構成や機能は、前述した吸水シート３４０と同様である。
【００７４】
前述した第１実施形態と同様に、袋本体６１０および蓋６２０は、それぞれ、可燃性の素材で形成されている。例えば、袋本体６１０および蓋６２０は、綿などの天然繊維からなる織布と、織布の裏面に設けられたウレタン製のスポンジシート（クッション材）との積層体を所望の形状に裁断し、縫合することにより形成されている。なお、スポンジシートは、省略してもよい。また、織布の材料としては、天然繊維に限定されず、可燃性の素材である限りポリエステル繊維などの合成繊維を用いてもよい。また、織布に換えて不織布を用いてもよい。後述する蓋部６１２についても同様である。
【００７５】
また、袋本体６１０および蓋６２０は、それぞれ、防水性、具体的には、裏面側から表面側への水分の滲み出しを防止する機能を有しているのが好ましい。
【００７６】
袋本体６１０には、袋本体６１０の内部を外部から視認することのできる窓部６１１と、窓部６１１を開閉する蓋部６１２とが設けられている。窓部６１１は、収容された遺骸の頭部を視認できる位置に形成されている。窓部６１１を有することにより、簡単に遺骸の頭部を視認することができるため、前述した第１、第２実施形態と同様により感傷的にお別れをすることができる。また、お別れを終えた後は、蓋部６１２を窓部６１１に被せることにより遺骸を隠すことができる。
【００７７】
このような窓部６１１は、実質的に無色透明なシート材で構成されている。窓部６１１は、可燃性の素材で形成されていればよく、例えば、ポリエチレン、ポリプロピレン、エチレン−プロピレン共重合体、ポリエステルなどの合成樹脂フィルムで形成することができる。
【００７８】
ファスナー６４０は、開口６９０の端面と蓋６２０の外周部に設けられ、多数のエレメントが取り付けられたテープ部材６４１と、テープ部材６４１に沿って移動可能な図示しないスライダーとを有している。そして、スライダーを操作することにより、開口６９０の開閉を自在に行うことができる。このようなファスナー６４０の各部は、全て可燃性の素材で形成されている。
【００７９】
なお、本実施形態では、閉鎖手段としてファスナー６４０を用いているが、閉鎖手段の構成としては、可燃性の素材で構成されていればこれに限定されず、例えば、点ファスナー（スナップボタン）や面ファスナーを用いたものや、ボタンや鍵ホックを用いやものや、両面テープや接着剤を用いたものであってもよい。
【００８０】
このような遺骸収容袋６００は、例えば、次のようにして使用する。まず、遺骸４００を遺骸収容袋６００に収容し、ファスナー６４０を操作することにより蓋６２０によって開口６９０を閉じる。そして、図１２に示すように、この遺骸収容袋６００を棺桶２００に収容する。この状態では、遺骸４００の頭部４１０が窓部６１１と重なるように位置しているため、窓部６１１を開くことによって、遺骸収容袋６００の外部から窓部６１１を介して頭部４１０を視認することができる。そのため、前述した第１、第２実施形態と同様により感傷的にお別れをすることができる。
【００８１】
このような第４実施形態によっても、前述した第１実施形態と同様の効果を発揮することができる。
【００８２】
以上、本発明の遺骸収容袋および棺桶セットについて、図示の実施形態に基づいて説明したが、本発明はこれに限定されるものではない。例えば、本発明の遺骸収容袋および棺桶セットでは、各部の構成は、同様の機能を発揮する任意の構成のものに置換することができ、また、任意の構成を付加することもできる。また、前述した各実施形態を適宜組み合わせることもできる。また、例えば、遺骸収容袋には、写真や遊具などの思い出の品を収容することができるポケットなどが設けられていてもよい。また、棺桶の本体の内側に、マットなどのクッション材を敷き詰めてもよい。
【符号の説明】
【００８３】
１００          棺桶セット
２００          棺桶
２１０          本体
２１１          底部
２１２          側壁
２１３          側壁
２１４          側壁
２１５          側壁
２２０          蓋
２２１          段差
２２２          積層体
２２２ａ        板部材
２２２ｂ        板部材
２２２ｃ        板部材
２２３          包装材
２２４          基部
２２５          段差形成部
３００          遺骸収容袋
３００Ａ        遺骸収容袋
３００Ｂ        遺骸収容袋
３１０          袋本体
３１１          シート材
３１１ａ        織布
３１１ｂ        スポンジシート
３１２          シート材
３１３          襟部
３１４          襟部
３１５          紐通し孔
３１６          紐通し孔
３２０          締め紐
３２１          房
３３０          締め紐
３３１          房
３４０          吸水シート
３６０Ａ        延長部
３６０Ｂ        延長部
３６１Ａ        載置部
３６１Ｂ        載置部
３６２Ａ        覆い部
３７０Ａ        面ファスナー
３８０Ａ        面ファスナー
３９０          開口
４００          遺骸
４１０          頭部
５００          組立体
５１１          側壁形成部
５１２          側壁形成部
５１３          側壁形成部
５１４          側壁形成部
５２１          側壁補強部
５２２          側壁補強部
５２３          側壁補強部
５２４          側壁補強部
５３１          底部形成部
５３２          底部形成部
５３３          底部形成部
５３３ａ        挿入部
５３４          底部形成部
５４０          糊代
６００          遺骸収容袋
６１０          袋本体
６１１          窓部
６１２          蓋部
６２０          蓋
６４０          ファスナー
６４１          テープ部材
６５０          吸水シート
６９０          開口
７００          底部補強板
【図１】
2014073281.tif 000003
【図２】
2014073281.tif 000004
【図３】
2014073281.tif 000005
【図４】
2014073281.tif 000006
【図５】
2014073281.tif 000007
【図６】
2014073281.tif 000008
【図７】
2014073281.tif 000009
【図８】
2014073281.tif 000010
【図９】
2014073281.tif 000011
【図１０】
2014073281.tif 000012
【図１１】
2014073281.tif 000013
【図１２】
2014073281.tif 000014